(57)【要約】      （修正有）【課題】  生体情報を楽な姿勢で検知でき、コードに引っ張られてセンサボックスが肘当て部上から落下することもなく、生体情報を検知しない時には、センサボックスが邪魔にならないようにする椅子式マッサージ機を提供する。【解決手段】  片手で把持可能で且つ手指が接触する表面に手指から生体情報を検知するセンサ１６乃至１８を配置したセンサボックス１０と、センサボックス１０を受けるために椅子の側方に配備された受台１１と、センサボックス１０より導出したコード１４を保持するために受台１１に形成されたコードホルダ１５とを具え、センサボックス１０は、その裏面を肘当て部５の上面に沿った形状にして、受台１１より取り出し肘当て部５上にも載置できるようにした。【選択図】図３
2008061671.tif 000002
【特許請求の範囲】
【請求項１】
被施療者の脈拍等の生体情報を検知して、該生体情報を基にマッサージ動作を制御することのできる椅子式マッサージ機において、片手で把持可能で且つ手指が接触する表面に手指から生体情報を検知するセンサを配置したセンサボックスと、前記センサボックスを受けるために椅子の側方に配備された受台と、センサボックスより導出したコードを保持するために前記受台に形成されたコードホルダとを具え、前記センサボックスは、その裏面を肘当て部の上面に沿った形状にして、前記受台より取り出し前記肘当て部上にも載置できるようにしたことを特徴とする椅子式マッサージ機。
【請求項２】
前記センサボックスの裏面には、摩擦係数の高い材質からなる摩擦シートを貼り付けたことを特徴とする請求項1に記載の椅子式マッサージ機。
【請求項３】
前記センサボックスには、センサと手指の接触状態を報知する表示部を設けてなる請求項１又は請求項２に記載の椅子式マッサージ機。
【発明の詳細な説明】
【技術分野】
【０００１】
本発明は、被施療者の脈拍等の生体情報を検知して、生体情報を基にマッサージ動作を制御することのできる椅子式マッサージ機に関するものであり、より具体的には、生体情報を検知するセンサを有するセンサボックスに関するものである。
【背景技術】
【０００２】
従来、被施療者の生体情報を基にマッサージ動作を制御することのできる椅子式マッサージ機として、特許文献１のように、生体情報を検知するセンサを有するセンサボックスを片手で握り締めて生体情報を検知するものや、特許文献２のように、肘当て部の上面に肘当て部に沿って移動できるようにセンサボックスを設置して、このセンサボックス上に手指を載せて生体情報を検知するものが知られている。
【特許文献１】特開２００４−２３６７１０号公報
【特許文献２】特開２００１−２６９３７７号公報
【発明の開示】
【発明が解決しようとする課題】
【０００３】
特許文献１のマッサージ機では、生体情報を検知するために、センサボックスを常に握り締めておかなければならず、拘束感に縛られるという問題がある。一方特許文献２のマッサージ機では、肘当て部の上面に設置したセンサボックスに手を置くだけなので、拘束感からは解放されるが、マッサージをせずに単なる椅子として使用する時のように、生体情報を検知しない場合には、このセンサボックスが邪魔になるという問題がある。  
【０００４】
本発明の目的は、生体情報を楽な姿勢で検知できると共に、マッサージをせずに単なる椅子として使用する時のように生体情報を検知する必要のない時には、センサボックスが邪魔になることなく、リラックスして休めることのできる椅子式マッサージ機を提供することである。
【課題を解決するための手段】
【０００５】
上記課題を解決するために本発明は、被施療者の脈拍等の生体情報を検知して、生体情報を基にマッサージ動作を制御することのできる椅子式マッサージ機において、片手で把持可能で、且つ手指が接触する表面に手指から生体情報を検知するセンサを配置したセンサボックスと、このセンサボックスを受けるために椅子の側方に配備された受台と、センサボックスより導出したコードを保持するために前記受台に形成されたコードホルダとを具え、センサボックスは、その裏面を肘当て部の上面に沿った形状にして、受台より取り出し前記肘当て部上にも載置できるようにしたものである。
【０００６】
センサボックスの裏面には、摩擦係数の高い材質からなる摩擦シートを貼り付けてもよい。
【０００７】
また、センサボックスには、センサと手指の接触状態を報知する表示部を設けてもよい。
【発明の効果】
【０００８】
本発明によれば、生体情報を検知する際は、センサボックスを受台より取り出して肘当て部上に置き、センサボックス上に手を置くだけでよいので、拘束感はなく、リラックスした状態で検知できる。またセンサボックスは、肘当て部上のどの位置にも置くことができるので、椅子の背もたれの角度に関係なく、楽な姿勢で生体情報を検知できる。そしてこの際に、センサボックスより導出したコードは、受台に設けたコードホルダにて保持されているので、コード全体の重みにより引っ張られてセンサボックスが肘当て部の上面から落下することを防止できる。
【０００９】
生体情報を検知せずに単なる椅子として使用する場合等には、センサボックスを受台に置くことにより、センサボックスが邪魔になることなく、肘当て部上に腕を置いてリラックスして休むことができる。
【００１０】
またセンサボックスの裏面に、摩擦係数の高い材質からなる摩擦シートを貼り付ければ、センサボックスが肘当て部上から滑り落ちることをより確実に阻止することができる。
【００１１】
またセンサボックスには、センサと手指の接触状態を報知する表示部を設けて、例えば、接触状態が確実な場合と不確実な場合とで表示方法を変えることにより、確実に接触させるように使用者に促すことが可能になる。
【発明を実施するための最良の形態】
【００１２】
以下、本発明の椅子式マッサージ機について図に基づき説明する。図１は椅子式マッサージ機の斜め前方から見た斜視図、図２は斜め後方から見た斜視図で、マッサージ機１は、座部２と、座部２の後方に起倒自在に取り付けられた背もたれ部３と、座部２の前端に回動自在に取り付けられたフットレスト４と、座部２の左右両側に立設された肘当て部５を具える。座部２やフットレスト４には、図示しないが圧縮空気の供給、排出により膨張、収縮するエアバッグから構成されるマッサージ手段が内蔵され、背もたれ部３には、一対の施療指により叩きや揉みを行なう周知のマッサージ手段（図示せず）が背もたれ部に沿って昇降自在に設けられている。
【００１３】
座部２に坐った人から見て右側の肘当て部５の外側面より、屈曲自在な支柱６が立設されている。この支柱６の先端には、操作リモコン受台７が設けられ、この操作リモコン受台７に、マッサージ機１の動作を操作するための操作リモコン８が着脱自在に装着される。操作リモコン８は、マッサージ機本体側とコード９で接続されている。操作リモコン８を使用する際は、受台７より外して使用する。
【００１４】
支柱６の中ほどには、後述するセンサボックス１０を受ける合成樹脂製の受台１１が装着されている。受台１１の支柱６への装着は、受台１１に一体形成したＵ字状の挟持片１２、１３より行なわれる。図３に示すように、挟持片１２、１３は夫々受台１１の上下に形成され、各挟持片１２、１３が、断面円形の支柱６を左右から弾性的に挟みこむことにより、支柱６の任意の位置に受台１１が装着できるようになっている。
【００１５】
センサボックス１０は、図３や図４に示すように、片手で把持可能なマウス形状をしている。センサボックス１０には、後述するように、被施療者の生体情報を検知するセンサやマッサージ機の一部の動作を操作するための操作ボタンを有している。センサボックス１０は、マッサージ機本体側とコード１４で接続されている。受台１１の下側の挟持片１３には、図３に示すように、コード１４がぶらぶらしないように保持するコードホルダ１５が一体に形成されている。
【００１６】
センサボックス１０の手指が接触する上面には、被施療者の発汗状態を検知するための一対の電極１６、１７が設けられ、一方の電極１７内には、脈拍を検知する脈拍センサ１８がさらに設けられている。これら電極１６、１７と脈拍センサ１８が、生体情報を検知するセンサとなる。センサボックス１０の中央には、背もたれ部３を起倒するリクライニングボタン１９と、叩きや揉み等の工程を決められたプログラムに従って順次行う自動マッサージ中に、繰り返し再度行いたい工程がある時に押すボタン２０が配備されている。
【００１７】
またセンサボックス１０には、ＬＥＤよりなる表示部２１が設けられている。この表示部２１は、前記電極１６、１７や脈拍センサ１８にしっかりと指が接触して、生体情報が正確に検知できる状態にある場合には点灯し、指の接触が不充分で正確に生体情報を検知することができない場合には点滅して、使用者に指をしかりとセンサに接触するように促すことができるようにしている。
【００１８】
センサボックス１０の裏面は、肘当て部５の上面形状に沿うように、肘当て部上面の曲面と同じ曲面Ｒに形成されている（図７参照）。そしてセンサボックス１０の裏面には、摩擦係数の高い材質であるゴム等からできた摩擦シート２２が貼り付けられている。センサボックス１０は、上ケース１０ａと下ケース１０ｂを結合して構成される。
【００１９】
かかる構成において、マッサージをする場合、センサボックス１０を受台１１から取り外し、肘当て部５上に置く。そして図８のように、右手の人差し指と中指を夫々電極１７、１６上に置き、この間の電気抵抗の変化を視ることにより発汗量の変化を測定する。また人差し指を脈拍センサ１８に当てて、脈拍を測定する。このように測定された生体情報は、マッサージ機本体の制御部（図示せず）へ送られ、生体情報に基づいてマッサージ動作を制御する。図８においては、電極１６、１７を薄墨で塗ったように表している。
【００２０】
このように生体情報を検知するには、センサボックス１０上に手を置くだけでよいので拘束感はなく、リラックスした状態で検知できる。またセンサボックス１０の裏面は、肘当て部５の上面形状に沿うように、肘当て部上面の曲面と同じ曲面に形成されており、肘当て部５上のどの位置にも置くことができるので、背もたれ部３の角度に関係なく、測定し易い位置にセンサボックス１０を位置させることができ、楽な姿勢で生体情報を検知できる。
【００２１】
この際に、センサボックス１０より導出したコード１４は、受台１１に設けたコードホルダ１５にて保持されているので、ぶらぶらすることなく、コード１４全体の重みにより引っ張られてセンサボックス１０が肘当て部５の上面から落下することを防止でき、安定して肘当て部５上に置くことができる。特にセンサボックス１０の裏面には、摩擦シート２２が貼り付けられているので、肘当て部５より滑り落ちることを一層防止できる。
【００２２】
生体情報を検知せずに単なる椅子として使用する場合などには、センサボックス１０を受台１１に置くことにより、センサボックス１０が邪魔になることなく、肘当て部５上に腕を置いてリラックスして休むことができる。
【００２３】
以上の実施例では、座部２に坐った人の右側にセンサボックス１０の受台１１を配置して、センサボックス１０を右側の肘当て部５上に置いて使用する場合を説明したが、座部２に坐った人の左側にセンサボックスの受台１１を配置して、センサボックス１０を左側の肘当て部５上に置いて使用することもできる。そのためセンサボックス１０の電極１６、１７や脈拍センサ１８は左手でも使用できるように配置されている。この場合、左手の人差し指が電極１６に接触し、中指が電極１７と脈拍センサ１８に接触する。
【００２４】
また受台１１は操作リモコン８を置くリモコン受台７を先端に設けた支柱６に取り付けたが、支柱６とは関係なく、マッサージ機の側方に配置できる構成であればよい。また生体情報としては、発汗量、脈拍の他に、皮膚温度や血圧等が挙げられる。
【図面の簡単な説明】
【００２５】
【図１】本発明の椅子式マッサージ機を斜め前方から見た斜視図である。
【図２】同マッサージ機を斜め後方から見た斜視図である。
【図３】センサボックスを受台に収納した状態の斜視図である。
【図４】センサボックスの正面側から見た斜視図である。
【図５】センサボックスの裏面側から見た斜視図である。
【図６】センサボックスの正面図である。
【図７】センサボックスの側面図である。
【図８】センサボックスの使用状態を示す斜視図である。
【符号の説明】
【００２６】
１      マッサージ機
１０    センサボックス
１６    電極（センサ）
１７    電極（センサ）
１８    脈拍センサ（センサ）
１１    受台
１４    コード
１５    コードホルダ
２２    摩擦シート
２１    表示部
【図１】
2008061671.tif 000003
【図２】
2008061671.tif 000004
【図３】
2008061671.tif 000005
【図４】
2008061671.tif 000006
【図５】
2008061671.tif 000007
【図６】
2008061671.tif 000008
【図７】
2008061671.tif 000009
【図８】
2008061671.tif 000010